(57)【要約】【課題】広葉樹の平たい葉だけではなく、針葉樹の針状の葉の雨樋内への侵入をも防ぐことにより、落葉の詰まりを防ぐことができる雨樋を提供すること。【解決手段】雨樋１０の開口部１１の一方の端１２と一方の端１２に対向する軒瓦１３の頭側の先端１４との間に、表面に複数の突起１５が設けられたシート状のカバー１６を、円弧状にして、一方の端１２と頭側の先端１４とのそれぞれに突起１５を接触させて取り付け、一方の端１２と突起１５との間及び頭側の先端１４と突起１５との間を、雨水を通すための隙間１７として設けたもの。【選択図】図１
2018112063.tif 000002
【特許請求の範囲】
【請求項１】
雨樋の開口部の一方の端と一方の端に対向する軒先の屋根材の頭側の先端との間に、雨樋の長手方向に沿って平面部分を残した状態で表面に複数の突起が直線上に多数配列されて設けられたシート状のカバーを、一方の端と頭側の先端とのそれぞれに突起を接触させて取り付け、
一方の端と突起との間及び頭側の先端と突起との間を、雨水を通すための隙間として設けたことを特徴とする雨樋。
【請求項２】
雨樋の開口部の一方の端と他方の端との間に、雨樋の長手方向に沿って平面部分を残した状態で表面に複数の突起が直線上に多数配列されて設けられたシート状のカバーを、一方の端と他方の端とのそれぞれに突起を接触させて取り付け、
一方の端と突起との間及び他方の端と突起との間を、雨水を通すための隙間として設けたことを特徴とする雨樋。
【請求項３】
雨樋の開口部の一方の端と一方の端に対向する軒先の水切りとの間に、雨樋の長手方向に沿って平面部分を残した状態で表面に複数の突起が直線上に多数配列されて設けられたシート状のカバーを、一方の端と水切りとのそれぞれに突起を接触させて取り付け、
一方の端と突起との間及び水切りと突起との間を、雨水を通すための隙間として設けたことを特徴とする雨樋。
【発明の詳細な説明】
【技術分野】
【０００１】
本発明は、雨樋内への落葉の詰まりを防ぐことを目的とした雨樋に関するものである。
【背景技術】
【０００２】
従来から、雨樋内への落葉の詰まりを防ぐことを目的とした雨樋として、雨樋の開口部の一方の端と他方の端との間に、表面に複数の突起と雨水を通すための複数の孔とが設けられたカバーを、板状に取り付けたものが知られている（例えば、特許文献１参照）。
【０００３】
また、同じ目的の雨樋として、雨樋の開口部の一方の端と他方の端との間に、メッシュ構造を形成する各線条に複数の突起が設けられたカバーを、円弧状に取り付けたものも知られている（例えば、特許文献２参照）。
【０００４】
これらの雨樋では、カバーを取り付けない状態の雨樋と比べ、雨樋内への落葉の詰まりを防ぐことができた。
その作用は、例え落葉がカバーの表面に落ちたとしても、落葉が雨樋内に侵入することなく突起に支えられて浮くため、孔やメッシュが塞がれることがなく、雨水だけが雨樋内に落ちて排水されるというものであった。
さらに、落葉がカバーの表面から浮いていることから、風によって吹き飛ばされやすくなり、いっそう、孔やメッシュが塞がれることがないというものであった。
【０００５】
しかし、落葉には、大きく分けて、広葉樹の平たい葉だけではなく針葉樹の針状の葉もあり、これらの雨樋は、雨樋内への平たい葉の侵入は防ぐことができても、針状の葉の侵入は充分に防ぐことができなかった。
その結果、雨樋内に針状の葉を詰まらせてしまうという問題があった。
【０００６】
なぜなら、針葉樹の針状の葉は、その細長い形状から、突起に支えられにくいため、カバーの表面に落下して、孔やメッシュに突き刺さり、やがては雨樋内に侵入してしまうためである。
さらに、カバーの表面に落下した針状の葉は、風によって吹き飛ばされにくくなり、いっそう、雨樋内に侵入してしまうこととなる。
【０００７】
さらに、針状の葉がカバーの表面に落下して堆積してしまうことから、孔やメッシュを塞いでしまい、雨水の排水機能を低下させてしまうという問題もあった。
【０００８】
その他、同じ目的の雨樋として、雨樋の開口部の上方に、円状のパイプを、開口部との間に隙間を設けて取り付けたものも知られている（例えば、特許文献３参照）。
【０００９】
この雨樋も、カバーを取り付けない状態の雨樋と比べ、パイプの周囲に雨水と落葉とを滑らせて分離し、雨水のみを雨樋内へ落として排水させることにより、雨樋内の落葉の詰まりを防ぐことができた。
【００１０】
しかし、パイプと雨樋の開口部との間に隙間があることから、そこからの上手く分離できない針状の葉の侵入を防ぐことができない結果、雨樋内に針状の葉を詰まらせてしまうという問題があった。
【先行技術文献】
【特許文献】
【００１１】
【特許文献１】特開平５−１８０７０号公報
【特許文献２】特開２００６−９３８３号公報
【特許文献３】特開２００３−３５０１５号公報
【発明の概要】
【発明が解決しようとする課題】
【００１２】
本発明は、広葉樹の平たい葉だけではなく、針葉樹の針状の葉の雨樋内への侵入をも防ぐことにより、落葉の詰まりを防ぐことができる雨樋を提供することである。
【課題を解決するための手段】
【００１３】
本発明の第１の課題解決手段は、雨樋の開口部の一方の端と一方の端に対向する軒先の屋根材の頭側の先端との間に、表面に複数の突起が設けられたシート状のカバーを、一方の端と頭側の先端とのそれぞれに突起を接触させて取り付け、一方の端と突起との間及び頭側の先端と突起との間を、雨水を通すための隙間として設けたことを特徴とする雨樋である。
【００１４】
本発明の第２の課題解決手段は、雨樋の開口部の一方の端と他方の端との間に、表面に複数の突起が設けられたシート状のカバーを、一方の端と他方の端とのそれぞれに突起を接触させて取り付け、一方の端と突起との間及び他方の端と突起との間を、雨水を通すための隙間として設けたことを特徴とする雨樋である。
【００１５】
本発明の第３の課題解決手段は、雨樋の開口部の一方の端と一方の端に対向する軒先の水切りとの間に、表面に複数の突起が設けられたシート状のカバーを、一方の端と水切りとのそれぞれに突起を接触させて取り付け、一方の端と突起との間及び水切りと突起との間を、雨水を通すための隙間として設けたことを特徴とする雨樋である。
【００１６】
本発明の第４の課題解決手段は、雨樋の開口部の一方の端と一方の端に対向する軒先の屋根材の頭側の先端との間に、表面に複数の凹部が設けられたシート状のカバーを、一方の端と頭側の先端とのそれぞれにカバーの表面を接触させて取り付け、一方の端と凹部との間及び頭側の先端と凹部との間を、雨水を通すための隙間として設けたことを特徴とする雨樋である。
【００１７】
本発明の第５の課題解決手段は、雨樋の開口部の一方の端と他方の端との間に、表面に複数の凹部が設けられたシート状のカバーを、一方の端と他方の端とのそれぞれにカバーの表面を接触させて取り付け、一方の端と凹部との間及び他方の端と凹部との間を、雨水を通すための隙間として設けたことを特徴とする雨樋である。
【００１８】
本発明の第６の課題解決手段は、雨樋の開口部の一方の端と一方の端に対向する軒先の水切りとの間に、表面に複数の凹部が設けられたシート状のカバーを、一方の端と水切りとのそれぞれにカバーの表面を接触させて取り付け、一方の端と凹部との間及び水切りと凹部との間を、雨水を通すための隙間として設けたことを特徴とする雨樋である。
【００１９】
本発明の第７の課題解決手段は、雨樋の開口部の一方の端と一方の端に対向する軒先の屋根材の頭側の先端との間に、表面に一方の端と頭側の先端とを結ぶ方向の溝が複数設けられたシート状のカバーを、一方の端と頭側の先端とのそれぞれにカバーの表面を接触させて取り付け、一方の端と溝との間及び頭側の先端と溝との間を、雨水を通すための隙間として設けたことを特徴とする雨樋である。
【００２０】
本発明の第８の課題解決手段は、雨樋の開口部の一方の端と他方の端との間に、表面に一方の端と他方の端とを結ぶ方向の溝が複数設けられたシート状のカバーを、一方の端と他方の端とのそれぞれにカバーの表面を接触させて取り付け、一方の端と溝との間及び他方の端と溝との間を、雨水を通すための隙間として設けたことを特徴とする雨樋である。
【００２１】
本発明の第９の課題解決手段は、雨樋の開口部の一方の端と一方の端に対向する軒先の水切りとの間に、表面に一方の端と水切りとを結ぶ方向の溝が複数設けられたシート状のカバーを、一方の端と水切りとのそれぞれにカバーの表面を接触させて取り付け、一方の端と溝との間及び水切りと溝との間を、雨水を通すための隙間として設けたことを特徴とする雨樋である。
【発明の効果】
【００２２】
本発明の第１〜９の課題解決手段は、広葉樹の平たい葉だけではなく、例え針葉樹の針状の葉がカバーの表面に落ちたとしても、カバーの表面には孔やメッシュが全く設けられていないため、カバーの表面から針状の葉が雨樋内に侵入することがなく、隙間から雨水のみを雨樋内に落として排水することができる。
このため、雨樋内の落葉の詰まりを防ぐことができる。
【００２３】
また、近年、多くの屋根に取り付けられている太陽光パネルの表面は滑りやすく、かつ、雪止めが設けられていないものが多いため、積雪時においては太陽光パネル上の大量の雪が雨樋に向けて滑り落ち、雨樋に雪が詰まってしまう場合や、雪の重みによって雨樋が損傷する場合が多かったが、本発明の第１〜９の課題解決手段の雨樋は、カバーによって、雪が雨樋内に侵入することがほとんどないため、雪の詰まりが解消されるほか、雪の重みによる雨樋の損傷を防ぐことができる。
【図面の簡単な説明】
【００２４】
【図１】実施例１の雨樋の使用状態を示す斜視図である。
【図２】実施例１の雨樋の部分平面図（ａ）と部分側面図（ｂ）である。
【図３】実施例２の雨樋の部分平面図（ａ）と部分側面図（ｂ）である。
【図４】実施例３の雨樋の部分平面図（ａ）と部分側面図（ｂ）である。
【図５】実施例４の雨樋の部分平面図（ａ）と部分側面図（ｂ）である。
【図６】実施例５の雨樋の部分平面図（ａ）と部分側面図（ｂ）である。
【図７】実施例６の雨樋の部分平面図（ａ）と部分側面図（ｂ）である。
【図８】実施例７の雨樋の部分平面図（ａ）と部分側面図（ｂ）である。
【図９】実施例８の雨樋の部分平面図（ａ）と部分側面図（ｂ）である。
【図１０】実施例９の雨樋の部分平面図（ａ）と部分側面図（ｂ）である。
【図１１】カバーの変形例を示す斜視図である。
【図１２】実施例１０の雨樋の部分平面図（ａ）と部分側面図（ｂ）である。
【図１３】実施例１３の雨樋の部分平面図（ａ）と部分側面図（ｂ）である。
【図１４】実施例１６の雨樋の部分平面図（ａ）と部分側面図（ｂ）である。
【発明を実施するための形態】
【００２５】
雨樋内への広葉樹の平たい葉や針葉樹の針状の葉などの落葉の詰まりを防ぐという目的を、最小の部品点数で、雨水の排水機能を損なわずに実現した。
【実施例１】
【００２６】
本発明の実施例１の雨樋１０は、雨樋１０の開口部１１の一方の端１２と一方の端１２に対向する軒先の屋根材である軒瓦１３の頭側の先端１４との間に、表面に複数の突起１５が設けられたシート状のカバー１６を、円弧状にして、一方の端１２と頭側の先端１４とのそれぞれに突起１５を接触させて取り付け、一方の端１２と突起１５との間及び頭側の先端１４と突起１５との間を、雨水を通すための隙間１７として設けたものである（図１、２参照）。
【００２７】
なお、ここでの軒瓦１３の頭側とは、瓦の頭尻方向における頭側をいう。
また、ここでの屋根材は、粘土瓦である軒瓦１３に限定されることなく、スレートや金属からなる屋根材であっても良い。
【００２８】
なお、カバー１６は、適宜の手段によって、円弧状に取り付けられているが、円状のパイプにし（図示しない）、又はカバー１６を筒状（図１１（ａ）参照）に丸めた上で円弧部分を形成させて雨樋１０に取り付けても良く、一方の端１２と頭側の先端１４との間に円弧部分を形成できれば、カバー１６をどのような形状で取り付けても良い。
【００２９】
カバー１６は、表面に雨水を通すための孔が全く設けられていないものである。
カバー１６の材質は、合成樹脂からなるものが望ましいが、金属からなるものでも良く、特に限定されない。
【００３０】
突起１５は、断面が台形状に設けられたものであり、カバー１６に対して垂直方向に備えられたものである。
なお、突起１５の形状はこれに限定されるものではなく、半球状、円柱状、角柱状、円錐状、三角錐状などでも良い。
また、突起１５は、カバー１６の表面に千鳥格子状に配列されているが、これに限定されるものではない。
【００３１】
上記の構成から、実施例１の雨樋１０は、広葉樹の平たい葉がカバー１６の表面に落ちたとしても、カバー１６の表面には孔が全く設けられていないため、カバー１６の表面から平たい葉が雨樋１０内に侵入することがない。
【００３２】
さらに、広葉樹の平たい葉がカバー１６の表面に落ちたとしても、平たい葉が突起１５に支えられてカバー１６の表面から浮くため、隙間１７から平たい葉が雨樋１０内に侵入することがない。
このため、雨樋１０内に平たい葉を詰まらせてしまうことがない。
【００３３】
さらに、平たい葉が突起１５に支えられてカバー１６の表面から浮いていることから、隙間１７が塞がれることがなく、雨水だけが雨樋１０内に落ちて排水されることとなる。
さらに、平たい葉がカバー１６の表面から浮いていることから、風によって吹き飛ばされやすくなり、いっそう、隙間１７が塞がれることがない。
【００３４】
また、突起１５の先端辺りに支えられにくい針葉樹の針状の葉Ｌが、カバー１６の表面に落ちたとしても、カバー１６の表面には孔が全く設けられていないため、カバー１６の表面から針状の葉Ｌが雨樋１０内に侵入することがない。
【００３５】
さらに、針状の葉Ｌがカバー１６の表面に落ちたとしても、カバー１６の表面には孔が全く設けられていないことと、カバー１６が円弧状に取り付けられていることから、針状の葉Ｌが何度も突起１５の周壁に引っかかりながらも、やがては一方の端１２か頭側の先端１４のどちらかに向かって滑り落ちることとなる。
【００３６】
そして、一方の端１２か頭側の先端１４のどちらかに向かって滑り落ちた針状の葉Ｌは、その多くが、カバー１６が円弧状に取り付けられていることから一方の端１２と頭側の先端１４とのそれぞれに少なくとも傾斜した状態で接触して隙間１７を形成する突起１５の周壁に引っかかって支えられることとなる。
【００３７】
このため、多くの針状の葉Ｌが、傾斜した突起１５の周壁に支えられることによりカバー１６の表面から浮いていることから、隙間１７から針状の葉Ｌが雨樋１０内に侵入することがなく、雨樋１０内に詰まることがない。
【００３８】
さらに、多くの針状の葉Ｌがカバー１６の表面から浮いていることから、隙間１７が塞がれることがなく、雨水だけが雨樋１０内に落ちて排水されることとなる。
さらに、多くの針状の葉Ｌがカバー１６の表面から浮いていることから、風によって吹き飛ばされやすくなり、いっそう、隙間１７が塞がれることがない。
【００３９】
さらに、突起１５がカバー１６の表面に千鳥格子状に配列されていることから、平たい葉、針状の葉、その他のほこりなどが突起１５に引っかかりやすいため、これらのものが隙間１７から侵入することがないほか、隙間１７が塞がれることがない。
【実施例２】
【００４０】
本発明の実施例２の雨樋２０は、雨樋２０の開口部１１の一方の端１２と他方の端１８との間に、表面に複数の突起１５が設けられたシート状のカバー１６を、円弧状にして、一方の端１２と他方の端１８とのそれぞれに突起１５を接触させて取り付け、一方の端１２と突起１５との間及び他方の端１８と突起１５との間を、雨水を通すための隙間１７として設けたものである（図３参照）。
なお、カバー１６は適宜の手段によって雨樋２０に固定されることとなるが、一体のものとして設けても良い。
【００４１】
実施例２の雨樋２０は、上述の実施例１の雨樋１０における軒瓦１３の頭側の先端１４に代えて、雨樋２０の開口部１１の他方の端１８に突起１５を接触させて、他方の端１８と突起１５との間で隙間１７を形成しただけのものである。
【００４２】
このため、その作用も共通することから、上述の実施例１の雨樋１０の説明を援用することにより、実施例２の雨樋２０の説明を省略する。
【実施例３】
【００４３】
本発明の実施例３の雨樋３０は、雨樋３０の開口部１１の一方の端１２と一方の端１２に対向する軒先の水切り２２との間に、表面に複数の突起１５が設けられたシート状のカバー１６を、円弧状にして、一方の端１２と水切り２２とのそれぞれに突起１５を接触させて取り付け、一方の端１２と突起１５との間及び水切り２２と突起１５との間を、雨水を通すための隙間１７として設けたものである（図４参照）。
なお、カバー１６は適宜の手段によって固定されることとなる。
【００４４】
実施例３の雨樋３０は、上述の実施例１の雨樋１０における軒瓦１３の頭側の先端１４に代えて、水切り２２に突起１５を接触させて、水切り２２と突起１５との間で隙間１７を形成しただけのものである。
【００４５】
このため、その作用も共通することから、上述の実施例１の雨樋１０の説明を援用することにより、実施例３の雨樋３０の説明を省略する。
【実施例４】
【００４６】
本発明の実施例４の雨樋４０は、雨樋４０の開口部１１の一方の端１２と一方の端１２に対向する軒先の屋根材である軒瓦１３の頭側の先端１４との間に、表面に複数の凹部１９が設けられたシート状のカバー１６を、円弧状にして、一方の端１２と頭側の先端１４とのそれぞれにカバー１６の表面を接触させて取り付け、一方の端１２と凹部１９との間及び頭側の先端１４と凹部１９との間を、雨水を通すための隙間１７として設けたものである（図５参照）。
【００４７】
なお、ここでの軒瓦１３の頭側とは、瓦の頭尻方向における頭側をいう。
また、ここでの屋根材は、粘土瓦である軒瓦１３に限定されることなく、スレートや金属からなる屋根材であっても良い。
【００４８】
なお、カバー１６は、適宜の手段によって、円弧状に取り付けられているが、円状のパイプにし（図示しない）、又はカバー１６を筒状（図１１（ｂ）参照）に丸めた上で円弧部分を形成させて雨樋４０に取り付けても良く、一方の端１２と頭側の先端１４との間に円弧部分を形成できれば、カバー１６をどのような形状で取り付けても良い。
【００４９】
カバー１６は、表面に雨水を通すための孔が全く設けられていないものである。
カバー１６の材質は、合成樹脂からなるものが望ましいが、金属からなるものでも良く、特に限定されない。
【００５０】
凹部１９は、断面が逆台形状の凹みに設けられたものであり、カバー１６に対して垂直方向に備えられたものである。
なお、凹部１９の形状はこれに限定されるものではなく、逆半球状、円柱状、角柱状、逆円錐状、逆三角錐状などの凹みとしても良い。
また、凹部１９は、カバー１６の表面に千鳥格子状に配列されているが、これに限定されるものではない。
【００５１】
上記の構成から、実施例４の雨樋４０は、広葉樹の平たい葉や針葉樹の針状の葉などの落葉がカバー１６の表面に落ちたとしても、その多くが、凹部１９に引っかかってあらゆる方向に傾斜して風を受けやすい状態となり、風によって吹き飛ばされやすくなるほか、凹部１９内の空間に風が通ることにより、凹部１９の上に位置する落葉が舞い上がりやすくなり、いっそう、風によって吹き飛ばされやすくなる。
【００５２】
このため、隙間１７から落葉が雨樋４０内に侵入することがないほか、隙間１７が塞がれることがなく、雨水だけが隙間１７から雨樋４０内に落ちて排水されることとなる。
【００５３】
さらに、凹部１９がカバー１６の表面に千鳥格子状に配列されていることから、平たい葉、針状の葉、その他のほこりなどが凹部１９に引っかかりやすいため、これらのものが隙間１７から侵入することがないほか、隙間１７が塞がれることがない。
【実施例５】
【００５４】
本発明の実施例５の雨樋５０は、雨樋５０の開口部１１の一方の端１２と他方の端１８との間に、表面に複数の凹部１９が設けられたシート状のカバー１６を、円弧状にして、一方の端１２と他方の端１８とのそれぞれにカバー１６の表面を接触させて取り付け、一方の端１２と凹部１９との間及び他方の端１８と凹部１９との間を、雨水を通すための隙間１７として設けたものである（図６参照）。
なお、カバー１６は適宜の手段によって雨樋５０に固定されることとなるが、一体のものとして設けても良い。
【００５５】
実施例５の雨樋５０は、上述の実施例４の雨樋４０における軒瓦１３の頭側の先端１４に代えて、雨樋５０の開口部１１の他方の端１８にカバー１６の表面を接触させて、他方の端１８と凹部１９との間で隙間１７を形成しただけのものである。
【００５６】
このため、その作用も共通することから、上述の実施例４の雨樋４０の説明を援用することにより、実施例５の雨樋５０の説明を省略する。
【実施例６】
【００５７】
本発明の実施例６の雨樋６０は、雨樋６０の開口部１１の一方の端１２と一方の端１２に対向する軒先の水切り２２との間に、表面に複数の凹部１９が設けられたシート状のカバー１６を、円弧状にして、一方の端１２と水切り２２とのそれぞれにカバー１６の表面を接触させて取り付け、一方の端１２と凹部１９との間及び水切り２２と凹部１９との間を、雨水を通すための隙間１７として設けたものである（図７参照）。
なお、カバー１６は適宜の手段によって固定されることとなる。
【００５８】
実施例６の雨樋６０は、上述の実施例４の雨樋４０における軒瓦１３の頭側の先端１４に代えて、水切り２２にカバー１６の表面を接触させて、水切り２２と凹部１９との間で隙間１７を形成しただけのものである。
【００５９】
このため、その作用も共通することから、上述の実施例４の雨樋４０の説明を援用することにより、実施例６の雨樋６０の説明を省略する。
【実施例７】
【００６０】
本発明の実施例７の雨樋７０は、雨樋７０の開口部１１の一方の端１２と一方の端１２に対向する軒先の屋根材である軒瓦１３の頭側の先端１４との間に、表面に一方の端１２と頭側の先端１４とを結ぶ方向の溝２１が複数設けられたシート状のカバー１６を、円弧状にして、一方の端１２と頭側の先端１４とのそれぞれにカバー１６の表面を接触させて取り付け、一方の端１２と溝２１との間及び頭側の先端１４と溝２１との間を、雨水を通すための隙間１７として設けたものである（図８参照）。
【００６１】
なお、ここでの軒瓦１３の頭側とは、瓦の頭尻方向における頭側をいう。
また、ここでの屋根材は、粘土瓦である軒瓦１３に限定されることなく、スレートや金属からなる屋根材であっても良い。
【００６２】
なお、カバー１６は、適宜の手段によって、円弧状に取り付けられているが、円状のパイプにし（図１１（ｃ）参照）、又はカバー１６を筒状（図示しない）に丸めた上で円弧部分を形成させて雨樋７０に取り付けても良く、一方の端１２と頭側の先端１４との間に円弧部分を形成できれば、カバー１６をどのような形状で取り付けても良い。
【００６３】
カバー１６は、表面に雨水を通すための孔が全く設けられていないものである。
カバー１６の材質は、合成樹脂からなるものが望ましいが、金属からなるものでも良く、特に限定されない。
【００６４】
溝２１は、一方の端１２から頭側の先端１４に向かった断面が四角形状の凹みに設けられたものである。
なお、溝２１の形状はこれに限定されるものではなく、断面が半円状やＶ状などの凹みであっても良い。
【００６５】
また、溝２１は、平面視において、一方の端１２に対して直角に設けられているが、一方の端１２と頭側の先端１４とを結ぶ方向に沿ったものであれば良く、一方の端１２から頭側の先端１４にかけて斜めに設けられたものや、蛇行して設けられたものであっても良い。
【００６６】
上記の構成から、実施例７の雨樋７０は、広葉樹の平たい葉がカバー１６の表面に落ちたとしても、カバー１６の表面には孔が全く設けられていないため、カバー１６の表面から平たい葉が雨樋７０内に侵入することがない。
【００６７】
さらに、平たい葉がカバー１６の表面に落ちたとしても、平たい葉が溝２１をまたいだ状態でカバー１６の表面に落ちるため、隙間１７が塞がれることがなく、雨水だけが雨樋７０内に落ちて排水されることとなる。
【００６８】
さらに、平たい葉が溝２１をまたいだ状態でカバー１６の表面にあることから、隙間１７から平たい葉が雨樋７０内に侵入することがない。
このため、雨樋７０内に平たい葉を詰まらせてしまうことがない。
【００６９】
さらに、平たい葉が溝２１をまたいだ状態でカバー１６の表面にあることから、溝２１内に風が通ることによって舞い上がり、風によって吹き飛ばされやすくなるため、いっそう、隙間１７が塞がれることがない。
【００７０】
また、針葉樹の針状の葉Ｌがカバー１６の表面に落ちたとしても、カバー１６の表面には孔が全く設けられていないため、カバー１６の表面から針状の葉Ｌが雨樋７０内に侵入することがない。
【００７１】
さらに、針状の葉Ｌがカバー１６の表面に落ちたとしても、溝２１をまたいだ状態でカバー１６の表面に落ちた場合には、上述の広葉樹の平たい葉の場合と同様の効果が得られる。
【００７２】
さらに、針状の葉Ｌが溝２１に落ちた場合には、カバー１６の表面には孔が全く設けられていないことと、カバー１６が円弧状に取り付けられていることから、針状の葉Ｌが、やがては一方の端１２か頭側の先端１４のどちらかに向かって滑り落ちることとなる。
【００７３】
そして、一方の端１２か頭側の先端１４のどちらかに向かって滑り落ちた針状の葉Ｌは、その多くが、滑り落ちた先の一方の端１２又は頭側の先端１４に引っかかって傾斜し、一部分が溝２１にもたれかかり、その他の部分が溝２１から浮いた状態となる。
このため、多くの針状の葉Ｌが隙間１７から雨樋７０内に侵入することがないため、雨樋７０内に針状の葉Ｌを詰まらせてしまうことがない。
【００７４】
さらに、多くの針状の葉Ｌが、滑り落ちた先の一方の端１２又は頭側の先端１４に引っかかって傾斜し、一部分が溝２１にもたれかかり、その他の部分が溝２１から浮いた状態となることから、隙間１７が塞がれることがないため、雨水だけが雨樋７０内に落ちて排水されることとなる。
【００７５】
さらに、多くの針状の葉Ｌが、滑り落ちた先の一方の端１２又は頭側の先端１４に引っかかって傾斜し、一部分が溝２１にもたれかかり、その他の部分が溝２１から浮いた状態となることから、風によって吹き飛ばされやすくなり、いっそう、隙間１７が塞がれることがない。
【実施例８】
【００７６】
本発明の実施例８の雨樋８０は、雨樋８０の開口部１１の一方の端１２と他方の端１８との間に、表面に一方の端１２と他方の端１８とを結ぶ方向の溝２１が複数設けられたシート状のカバー１６を、円弧状にして、一方の端１２と他方の端１８とのそれぞれにカバー１６の表面を接触させて取り付け、一方の端１２と溝２１との間及び他方の端１８と溝２１との間を、雨水を通すための隙間１７として設けたものである（図９参照）。
なお、カバー１６は適宜の手段によって雨樋８０に固定されることとなるが、一体のものとして設けても良い。
【００７７】
実施例８の雨樋８０は、上述の実施例７の雨樋７０における軒瓦１３の頭側の先端１４に代えて、雨樋８０の開口部１１の他方の端１８にカバー１６の表面を接触させて、他方の端１８と溝２１との間で隙間１７を形成しただけのものである。
【００７８】
このため、その作用も共通することから、上述の実施例７の雨樋７０の説明を援用することにより、実施例８の雨樋８０の説明を省略する。
【実施例９】
【００７９】
本発明の実施例９の雨樋９０は、雨樋９０の開口部１１の一方の端１２と一方の端１２に対向する軒先の水切り２２との間に、表面に一方の端１２と水切り２２とを結ぶ方向の溝２１が複数設けられたシート状のカバー１６を、円弧状にして、一方の端１２と水切り２２とのそれぞれにカバー１６の表面を接触させて取り付け、一方の端１２と溝２１との間及び水切り２２と溝２１との間を、雨水を通すための隙間１７として設けたものである（図１０参照）。
なお、カバー１６は適宜の手段によって固定されることとなる。
【００８０】
実施例９の雨樋９０は、上述の実施例７の雨樋７０における軒瓦１３の頭側の先端１４に代えて、水切り２２にカバー１６の表面を接触させて、水切り２２と溝２１との間で隙間１７を形成しただけのものである。
【００８１】
このため、その作用も共通することから、上述の実施例７の雨樋７０の説明を援用することにより、実施例９の雨樋９０の説明を省略する。
【実施例１０】
【００８２】
本発明の実施例１０の雨樋９１は、雨樋９１の開口部１１の一方の端１２と一方の端１２に対向する軒先の屋根材である軒瓦１３の頭側の先端１４との間に、表面に複数の突起１５が設けられたシート状のカバー１６を、板状にして、一方の端１２と頭側の先端１４とのそれぞれに突起１５を接触させて取り付け、一方の端１２と突起１５との間及び頭側の先端１４と突起１５との間を、雨水を通すための隙間１７として設けたものである（図１２参照）。
なお、カバー１６は適宜の手段によって固定されることとなる。
【００８３】
なお、ここでの軒瓦１３の頭側とは、瓦の頭尻方向における頭側をいう。
また、ここでの屋根材は、粘土瓦である軒瓦１３に限定されることなく、スレートや金属からなる屋根材であっても良い。
【００８４】
カバー１６は、表面に雨水を通すための孔が全く設けられていないものである。
カバー１６の材質は、合成樹脂からなるものが望ましいが、金属からなるものでも良く、特に限定されない。
【００８５】
突起１５は、円柱状に設けられたものであり、カバー１６の表面の上側に対して垂直方向に備えられるとともに、カバー１６の表面の左右両側に対して水平方向に備えられたものである。
【００８６】
なお、突起１５の形状はこれに限定されるものではなく、半球状、角柱状、円錐状、三角錐状などでも良い。
また、突起１５は、カバー１６の表面に千鳥格子状に配列されているが、これに限定されるものではない。
【００８７】
上記の構成から、実施例１０の雨樋９１は、広葉樹の平たい葉がカバー１６の表面に落ちたとしても、カバー１６の表面には孔が全く設けられていないため、カバー１６の表面から平たい葉が雨樋９１内に侵入することがない。
【００８８】
さらに、広葉樹の平たい葉がカバー１６の表面に落ちたとしても、平たい葉が突起１５に支えられてカバー１６の表面から浮くため、隙間１７から平たい葉が雨樋９１内に侵入することがない。
このため、雨樋９１内に平たい葉を詰まらせてしまうことがない。
【００８９】
さらに、平たい葉が突起１５に支えられてカバー１６の表面から浮いていることから、隙間１７が塞がれることがなく、雨水だけが雨樋９１内に落ちて排水されることとなる。
さらに、平たい葉がカバー１６の表面から浮いていることから、風によって吹き飛ばされやすくなり、いっそう、隙間１７が塞がれることがない。
【００９０】
また、突起１５の先端辺りに支えられにくい針葉樹の針状の葉が、カバー１６の表面に落ちたとしても、カバー１６の表面には孔が全く設けられていないため、カバー１６の表面から針状の葉が雨樋９１内に侵入することがない。
【００９１】
さらに、針状の葉がカバー１６の表面に落ちたとしても、隙間１７から針状の葉が雨樋１０内に侵入することがなく、雨樋１０内に詰まらせてしまうことがない。
なぜなら、多くの針状の葉は、例え隙間１７の近くに落ちても、隙間１７を一方の端１２と頭側の先端１４とのそれぞれの間で形成する突起１５の周壁に引っかかって支えられることになるためである。
【００９２】
さらに、多くの針状の葉が突起１５の周壁に引っかかって支えられていることから、風によって吹き飛ばされやすくなり、隙間１７が塞がれることがない。
このため、雨水だけが雨樋１０内に落ちて排水されることとなる。
【００９３】
さらに、突起１５がカバー１６の表面に千鳥格子状に配列されていることから、平たい葉、針状の葉、その他のほこりなどが突起１５に引っかかりやすいため、これらのものが隙間１７から侵入することがないほか、隙間１７が塞がれることがない。
【実施例１１】
【００９４】
本発明の実施例１１の雨樋は、雨樋の開口部の一方の端と他方の端との間に、表面に複数の突起が設けられたシート状のカバーを、板状にして、一方の端と他方の端とのそれぞれに突起を接触させて取り付け、一方の端と突起との間及び他方の端と突起との間を、雨水を通すための隙間として設けたものである（図示しない）。
なお、カバーは適宜の手段によって雨樋に固定されることとなるが、一体のものとして設けても良い。
【００９５】
実施例１１の雨樋は、上述の実施例１０の雨樋９１における軒瓦１３の頭側の先端１４に代えて、雨樋の開口部の他方の端に突起を接触させて、他方の端と突起との間で隙間を形成しただけのものである。
【００９６】
このため、その作用も共通することから、上述の実施例１０の雨樋９１の説明を援用することにより、実施例１１の雨樋の説明を省略する。
【実施例１２】
【００９７】
本発明の実施例１２の雨樋は、雨樋の開口部の一方の端と一方の端に対向する軒先の水切りとの間に、表面に複数の突起が設けられたシート状のカバーを、板状にして、一方の端と水切りとのそれぞれに突起を接触させて取り付け、一方の端と突起との間及び水切りと突起との間を、雨水を通すための隙間として設けたものである（図示しない）。
なお、カバーは適宜の手段によって固定されることとなる。
【００９８】
実施例１２の雨樋は、上述の実施例１０の雨樋９１における軒瓦１３の頭側の先端１４に代えて、水切りに突起を接触させて、水切りと突起との間で隙間を形成しただけのものである。
【００９９】
このため、その作用も共通することから、上述の実施例１０の雨樋９１の説明を援用することにより、実施例１２の雨樋の説明を省略する。
【実施例１３】
【０１００】
本発明の実施例１３の雨樋９２は、雨樋９２の開口部１１の一方の端１２と一方の端１２に対向する軒先の屋根材である軒瓦１３の頭側の先端１４との間に、表面に複数の凹部１９が設けられたシート状のカバー１６を、板状にして、一方の端１２と頭側の先端１４とのそれぞれにカバー１６の表面を接触させて取り付け、一方の端１２と凹部１９との間及び頭側の先端１４と凹部１９との間を、雨水を通すための隙間１７として設けたものである（図１３参照）。
なお、カバー１６は適宜の手段によって固定されることとなる。
【０１０１】
なお、ここでの軒瓦１３の頭側とは、瓦の頭尻方向における頭側をいう。
また、ここでの屋根材は、粘土瓦である軒瓦１３に限定されることなく、スレートや金属からなる屋根材であっても良い。
【０１０２】
カバー１６は、表面に雨水を通すための孔が全く設けられていないものである。
カバー１６の材質は、合成樹脂からなるものが望ましいが、金属からなるものでも良く、特に限定されない。
【０１０３】
凹部１９は、角柱状の凹みに設けられたものであり、カバー１６の表面の上側に対して垂直方向に備えられるとともに、カバー１６の表面の左右両側に対して水平方向に備えられたものである。
【０１０４】
なお、凹部１９の形状はこれに限定されるものではなく、半球状、円錐状、三角錐状などでも良い。
また、凹部１９は、カバー１６の表面に千鳥格子状に配列されているが、これに限定されるものではない。
【０１０５】
上記の構成から、実施例１３の雨樋９２は、広葉樹の平たい葉や針葉樹の針状の葉などの落葉がカバー１６の表面に落ちたとしても、その多くが、凹部１９に引っかかってあらゆる方向に傾斜して風を受けやすい状態となり、風によって吹き飛ばされやすくなるほか、凹部１９内の空間に風が通ることにより、凹部１９の上に位置する落葉が舞い上がりやすくなり、いっそう、風によって吹き飛ばされやすくなる。
【０１０６】
このため、隙間１７から落葉が雨樋９２内に侵入することがないほか、隙間１７が塞がれることがなく、雨水だけが隙間１７から雨樋９２内に落ちて排水されることとなる。
【０１０７】
さらに、凹部１９がカバー１６の表面に千鳥格子状に配列されていることから、平たい葉、針状の葉、その他のほこりなどが凹部１９に引っかかりやすいため、これらのものが隙間１７から侵入することがないほか、隙間１７が塞がれることがない。
【実施例１４】
【０１０８】
本発明の実施例１４の雨樋は、雨樋の開口部の一方の端と他方の端との間に、表面に複数の凹部が設けられたシート状のカバーを、板状にして、一方の端と他方の端とのそれぞれにカバーの表面を接触させて取り付け、一方の端と凹部との間及び他方の端と凹部との間を、雨水を通すための隙間として設けたものである（図示しない）。
なお、カバーは適宜の手段によって雨樋に固定されることとなるが、一体のものとして設けても良い。
【０１０９】
実施例１４の雨樋は、上述の実施例１３の雨樋９２における軒瓦１３の頭側の先端１４に代えて、雨樋の開口部の他方の端にカバーの表面を接触させて、他方の端と凹部との間で隙間を形成しただけのものである。
【０１１０】
このため、その作用も共通することから、上述の実施例１３の雨樋９２の説明を援用することにより、実施例１４の雨樋の説明を省略する。
【実施例１５】
【０１１１】
本発明の実施例１５の雨樋は、雨樋の開口部の一方の端と一方の端に対向する軒先の水切りとの間に、表面に複数の凹部が設けられたシート状のカバーを、板状にして、一方の端と水切りとのそれぞれにカバーの表面を接触させて取り付け、一方の端と凹部との間及び水切りと凹部との間を、雨水を通すための隙間として設けたものである（図示しない）。
なお、カバーは適宜の手段によって固定されることとなる。
【０１１２】
実施例１５の雨樋は、上述の実施例１３の雨樋９２における軒瓦１３の頭側の先端１４に代えて、水切りにカバーの表面を接触させて、水切りと凹部との間で隙間を形成しただけのものである。
【０１１３】
このため、その作用も共通することから、上述の実施例１３の雨樋９２の説明を援用することにより、実施例１５の雨樋の説明を省略する。
【実施例１６】
【０１１４】
本発明の実施例１６の雨樋９３は、雨樋９３の開口部１１の一方の端１２と一方の端１２に対向する軒先の屋根材である軒瓦１３の頭側の先端１４との間に、表面に一方の端１２と頭側の先端１４とを結ぶ方向の溝２１が複数設けられたシート状のカバー１６を、板状にして、一方の端１２と頭側の先端１４とのそれぞれにカバー１６の表面を接触させて取り付け、一方の端１２と溝２１との間及び頭側の先端１４と溝２１との間を、雨水を通すための隙間１７として設けたものである（図１４参照）。
【０１１５】
なお、ここでの軒瓦１３の頭側とは、瓦の頭尻方向における頭側をいう。
また、ここでの屋根材は、粘土瓦である軒瓦１３に限定されることなく、スレートや金属からなる屋根材であっても良い。
【０１１６】
カバー１６の表面は、一方の端１２及び頭側の先端１４のそれぞれの下部に接触して取り付けられている。
このため、一方の端１２と溝２１との間及び頭側の先端１４と溝２１との間に隙間１７が設けられることとなる。
【０１１７】
カバー１６は、表面に雨水を通すための孔が全く設けられていないものである。
カバー１６の材質は、合成樹脂からなるものが望ましいが、金属からなるものでも良く、特に限定されない。
【０１１８】
溝２１は、一方の端１２から頭側の先端１４に向かった断面が四角形状の凹みに設けられたものである。
なお、溝２１の形状はこれに限定されるものではなく、断面が半円状やＶ状などの凹みであっても良い。
【０１１９】
また、溝２１は、平面視において、一方の端１２に対して直角に設けられているが、一方の端１２と頭側の先端１４とを結ぶ方向に沿ったものであれば良く、一方の端１２から頭側の先端１４にかけて斜めに設けられたものや、蛇行して設けられたものであっても良い。
【０１２０】
上記の構成から、実施例１６の雨樋９３は、広葉樹の平たい葉や針葉樹の針状の葉などの落葉がカバー１６の表面に落ちたとしても、カバー１６の表面には孔が全く設けられていないため、カバー１６の表面から落葉が雨樋９３内に侵入することがない。
【０１２１】
さらに、落葉がカバー１６の表面に落ちたとしても、その多くが溝２１をまたいだ状態でカバー１６の表面に落ちるため、隙間１７が塞がれることがなく、雨水だけが雨樋９３内に落ちて排水されることとなる。
【０１２２】
さらに、多くの落葉が溝２１をまたいだ状態でカバー１６の表面にあることから、隙間１７から落葉が雨樋９３内に侵入することがない。
このため、雨樋９３内に落葉を詰まらせてしまうことがない。
【０１２３】
さらに、多くの落葉が溝２１をまたいだ状態でカバー１６の表面にあることから、溝２１内に風が通ることによって舞い上がり、風によって吹き飛ばされやすくなるため、いっそう、隙間１７が塞がれることがない。
【実施例１７】
【０１２４】
本発明の実施例１７の雨樋は、雨樋の開口部の一方の端と他方の端との間に、表面に一方の端と他方の端とを結ぶ方向の溝が複数設けられたシート状のカバーを、板状にして、一方の端と他方の端とのそれぞれにカバーの表面を接触させて取り付け、一方の端と溝との間及び他方の端と溝との間を、雨水を通すための隙間として設けたものである（図示しない）。
【０１２５】
なお、カバーは、適宜の手段によって、一方の端と溝との間及び他方の端と溝との間に上手く隙間ができるように、雨樋に固定されることとなるが、一体のものとして設けても良い。
【０１２６】
実施例１７の雨樋は、上述の実施例１６の雨樋９３における軒瓦１３の頭側の先端１４に代えて、雨樋の開口部の他方の端にカバーの表面を接触させて、他方の端と溝との間で隙間を形成しただけのものである。
【０１２７】
このため、その作用も共通することから、上述の実施例１６の雨樋９３の説明を援用することにより、実施例１７の雨樋の説明を省略する。
【実施例１８】
【０１２８】
本発明の実施例１８の雨樋は、雨樋の開口部の一方の端と一方の端に対向する軒先の水切りとの間に、表面に一方の端と水切りとを結ぶ方向の溝が複数設けられたシート状のカバーを、板状にして、一方の端と水切りとのそれぞれにカバーの表面を接触させて取り付け、一方の端と溝との間及び水切りと溝との間を、雨水を通すための隙間として設けたものである（図示しない）。
なお、カバーは適宜の手段によって固定されることとなる。
【０１２９】
実施例１８の雨樋は、上述の実施例１６の雨樋９３における軒瓦１３の頭側の先端１４に代えて、水切りにカバーの表面を接触させて、水切りと溝との間で隙間を形成しただけのものである。
【０１３０】
このため、その作用も共通することから、上述の実施例１６の雨樋９３の説明を援用することにより、実施例１８の雨樋の説明を省略する。
【符号の説明】
【０１３１】
１０  雨樋（実施例１）
１１  開口部
１２  一方の端
１３  軒瓦
１４  頭側の先端
１５  突起
１６  カバー
１７  隙間
１８  他方の端
１９  凹部
２０  雨樋（実施例２）
２１  溝
２２  水切り
３０  雨樋（実施例３）
４０  雨樋（実施例４）
５０  雨樋（実施例５）
６０  雨樋（実施例６）
７０  雨樋（実施例７）
８０  雨樋（実施例８）
９０  雨樋（実施例９）
９１  雨樋（実施例１０）
９２  雨樋（実施例１３）
９３  雨樋（実施例１６）
Ｌ  針状の葉
【図１】
2018112063.tif 000003
【図２】
2018112063.tif 000004
【図３】
2018112063.tif 000005
【図４】
2018112063.tif 000006
【図５】
2018112063.tif 000007
【図６】
2018112063.tif 000008
【図７】
2018112063.tif 000009
【図８】
2018112063.tif 000010
【図９】
2018112063.tif 000011
【図１０】
2018112063.tif 000012
【図１１】
2018112063.tif 000013
【図１２】
2018112063.tif 000014
【図１３】
2018112063.tif 000015
【図１４】
2018112063.tif 000016